(57)【要約】【課題】  ジエット式の軟弱地盤改良装置。【手段】  上端部に回転駆動装置４を設け、下端部に外向きの高圧流体噴射ノズル８を設けた内管１を、上端部に回転駆動装置６を設け、下端に大径で筒状の掘削ヘッド１０を突設した外管２内に上下動可能に挿通し、高圧流体噴射ノズル８と掘削ヘッド１０の上下方向の相対的位置関係を調節自在にした。高圧流体噴射ノズル８から噴射した高圧流体を掘削ヘッド１０の内面に当て、跳ね返り力で地盤改良材と地盤土壌とをむらなく混練する。７は内管１と外管２の各上端部間に設けたシリンダ装置、１３は掘削ヘッド１０の内部に張設した土塊破砕用のピアノ線である。【選択図】  図１
2005090200.tif 000002
【特許請求の範囲】
【請求項１】
上端部に回転駆動装置を設け、下端部に外向きの高圧流体噴射ノズルを設けた内管を、上端部に回転駆動装置を設け、下端に大径で筒状の掘削ヘッドを突設した外管内に、上下動可能に挿通し、内管の高圧流体噴射ノズルと外管の掘削ヘッドの上下方向の相対的位置関係を調節自在にしたことを特徴とするジェット式軟弱地盤改良装置。
【請求項２】
掘削ヘッドの内部に内管に当たらないようにして土塊破砕用のピアノ線を張設した請求項１記載のジエット式軟弱地盤改良装置。
【請求項３】
内外両管の各上端部をシリンダ装置で連結した請求項１または請求項２記載のジエット式地盤改良装置。
【発明の詳細な説明】
【技術分野】
【０００１】  本発明は、ジエット式の軟弱地盤改良装置に関するものである。
【背景技術】
【０００２】  回転軸の下端部に高圧流体噴射用のノズルを設け、このノズルから外方にセメントミルク等の地盤硬化材を単独もしくは空気，水等とともに高圧で噴射して、杭状の地盤硬化体を形成するようにした、いわゆるジエット式の軟弱地盤改良装置は従来周知である（例えば、特公昭５０−１４８０３号公報参照）。
【発明の開示】
【発明が解決しようとする課題】
【０００３】  従来周知のジエット式軟弱地盤改良装置では、地盤の性状により、噴射した地盤硬化材と地盤土壌との攪拌混合にむらが生じ、所定の硬化体が形成されない場合がある。
【課題を解決するための手段】
【０００４】  前記問題点を解決するために、本発明の請求項１に係るジエット式地盤改良装置では、上端部に回転駆動装置を設け、下端部に外向きの高圧流体噴射ノズルを設けた内管を、上端部に回転駆動装置を設け、下端に大径で筒状の掘削ヘッドを突設した外管内に、上下動可能に挿通し、内管の高圧流体噴射ノズルと外管の掘削ヘッドの上下方向の相対的位置関係を調節自在にしている。【０００５】  また、本発明の請求項２に係るジエット式地盤改良装置では、前記前記請求項１の装置において、掘削ヘッドの内部に内管に当たらないようにして土塊破砕用のピアノ線を張設している。【０００６】  また、本発明の請求項３に係るジエット式地盤改良装置では、前記前記請求項１または請求項２の装置において、内外両管の各上端部をシリンダ装置で連結している。
【発明の効果】
【０００７】  請求項１の装置では、内管の高圧流体噴射ノズルと外管の掘削ヘッドの上下方向の相対的位置関係を調節自在にしているため、内管と外管の地中貫入時には、内管の高圧流体噴射ノズルから外管の掘削ヘッドの先端部に高圧流体（例えば高圧水）を噴射し、掘削ヘッドの貫入抵抗を軽減させて、外管の貫入を容易にすることができ、また、内管と外管の引き抜き時には、内管の高圧流体噴射ノズルから外管の掘削ヘッドの内面に当たるように地盤硬化材を単独もしくは空気，水等とともに高圧で噴射し、その跳ね返り力により、掘削ヘッド内で地盤改良材と地盤土壌をむら無く混練することができる。【０００８】  請求項２の装置では、掘削ヘッドの内部に土塊破砕用のピヤノ線を張設したため、外管の貫入時には土が細かく破砕され、また、外管の引き抜き時には地盤改良材と地盤土壌との混練による土塊の発生が防止され、掘削ヘッド内における地盤改良材と地盤土壌の混練効果が一層向上する。【０００９】  請求項３の装置では、内外両管の各上端部をシリンダ装置で連結したため、内管の高圧流体噴射ノズルと外管の掘削ヘッドの上下方向の相対的位置関係の調節が容易である。
【発明を実施するための最良の形態】
【００１０】  本発明のジエット式地盤改良装置の一例を図面に基づいて説明すると、図中、１は内管、２は外管であり、内管１は外管２内に上下動可能に挿設され、外管２から突出した内管１の上端部にはモータ３付きの回転駆動装置４が取り付けられている。【００１１】  外管２の上端部にもモータ５付きの回転駆動装置６が取り付けられ、回転駆動装置４，６は複数のシリンダ装置７，７で連結されている。【００１２】  内管１の下端部には外向きの高圧流体噴射ノズル８が設けられ、また、外管２の下端には保持部材９を介して大型で筒状の掘削ヘッド１０が取り付けられている。【００１３】  掘削ヘッド１０の下端には周方向に交互に斜め外向きと斜め内向きの掘削ビット１１，１２が突設され、また、掘削ヘッド１０の内部には内管１に当たらないようにして土塊破砕用のピアノ線１３が張設されている。【００１４】  なお、図中、１４は内管１の上端に取り付けた吊りワイヤ、１５は内管１の上端部にスイベル機構を介して取り付けた高圧流体供給管、１６は掘削ヘッド１０の周壁に設けた貫入抵抗軽減用の開口部である。【００１５】  前述の装置で軟弱地盤を改良する場合は、吊りワイヤ１４で内管１と外管２を施工機の基体に吊り下げ、シリンダ装置７，７で外管２を内管１に対して上下方向に動かして高圧流体噴射ノズル８が掘削ヘッド１０の先端部に向くように調節してから、内管１と外管２を回転させ、かつ、高圧流体噴射ノズル８から高圧水を噴出させて、地盤を掘削しながら、内管１と外管２を地中の所定深度まで貫入させ、次いで、シリンダ装置７，７で外管２を下方に動かして、高圧流体噴射ノズル８が掘削ヘッド１０の壁面に向くように調節した後、内管１と外管２を回転させ、かつ、高圧流体噴射ノズル８から地盤硬化材を単独もしくは空気，水等とともに噴出させながら、吊りワイヤ１４で内管１と外管２を引き抜く。【００１６】  なお、図示の装置では、内管１と外管２の上端部をシリンダ装置７，７で連結し、吊りワイヤ１４を内管１の上端に取り付けているが、吊りワイヤ１４を外管２の上端に取り付けるようにしてもよい。【００１７】  そして、内管１と外管２の上端部をシリンダ装置で連結しない場合は、吊りワイヤを内管１と外管２の各上端に取り付け、内管１と外管２を各別に施工機の基体に吊り下げることになる。
【図面の簡単な説明】
【００１８】
【図１】本発明の装置の一例の一部断面の正面図である。
【図２】本発明の装置の下部の拡大斜視図である。
【符号の説明】
【００１９】  １  内管、２  外管、３  モータ、４  回転駆動装置、５  モータ、６  回転駆動装置、７  シリンダ装置、８  高圧流体噴射ノズル、９  保持部材、１０  掘削ヘッド、１１  ビット、１２  ビット、１３  ピアノ線、１４  吊りワイヤ、１５  高圧流体供給管、１６  開口部。
【図１】
2005090200.tif 000003
【図２】
2005090200.tif 000004
【手続補正書】
【提出日】平成15年10月29日(2003.10.29)
【手続補正１】
【補正対象書類名】特許請求の範囲
【補正対象項目名】請求項３
【補正方法】変更
【補正の内容】
【請求項３】
内外両管の各上端部をシリンダ装置で連結した請求項１または請求項２記載のジエット式軟弱地盤改良装置。
【手続補正２】
【補正対象書類名】明細書
【補正対象項目名】０００４
【補正方法】変更
【補正の内容】
【０００４】従来装置の前記問題点を解決するために、本発明の請求項１に係るジエット式軟弱地盤改良装置では、上端部に回転駆動装置を設け、下端部に外向きの高圧流体噴射ノズルを設けた内管を、上端部に回転駆動装置を設け、下端に大径で筒状の掘削ヘッドを突設した外管内に、上下動可能に挿通し、内管の高圧流体噴射ノズルと外管の掘削ヘッドの上下方向の相対的位置関係を調節自在にしている。
【手続補正３】
【補正対象書類名】明細書
【補正対象項目名】０００５
【補正方法】変更
【補正の内容】
【０００５】  また、本発明の請求項２に係るジエット式軟弱地盤改良装置では、前記請求項１の装置において、掘削ヘッドの内部に内管に当たらないようにして土塊破砕用のピアノ線を張設している。
【手続補正４】
【補正対象書類名】明細書
【補正対象項目名】０００６
【補正方法】変更
【補正の内容】
【０００６】  また、本発明の請求項３に係るジエット式軟弱地盤改良装置では、前記請求項１または請求項２の装置において、内外両管の各上端部をシリンダ装置で連結している。
【手続補正５】
【補正対象書類名】明細書
【補正対象項目名】００１０
【補正方法】変更
【補正の内容】
【００１０】  本発明のジエット式軟弱地盤改良装置の一例を図面に基づいて説明すると、図中、１は内管、２は外管であり、内管１は外管２内に上下動可能に挿通され、外管２から突出した内管１の上端部にはモータ３付きの回転駆動装置４が取り付けられている。